(57)【特許請求の範囲】
【請求項１】
管及び継手部外面をポリエチレンスリーブで被覆するポリエチレンスリーブ工法において、挿口と受口とからなる継手部の軸方向両端と中央の前記継手部外面に巻き付け固定される緊締部材と、前記継手部の少なくとも下半下底部に沿って前記緊締部材を前記継手部の軸方向に繋ぐ複数の伸縮ベルトからなるポリエチレンスリーブ工法用支持ネット。
【請求項２】
管及び継手部外面をポリエチレンスリーブで被覆するポリエチレンスリーブ工法において、挿口と受口とからなる継手部の軸方向両端の管外面と前記ポリエチレンスリーブとの間に水膨潤性ゴムまたはブチルゴムなどの止水用ゴム部材が介挿され、該介挿部において前記ポリエチレンスリーブが外面から緊締され、さらに前記継手部外面を覆うポリエチレンスリーブの少なくとも下半下底部を請求項１に記載の支持ネットで支持してなるポリエチレンスリーブ工法における被覆構造。
【発明の詳細な説明】
【０００１】
【発明の属する技術分野】
この発明は、ポリエチレンスリーブ工法用支持ネット及びこの支持ネットを使用した被覆構造に関する。
【０００２】
【従来の技術】
従来、鋳鉄管など金属管を地中埋設する場合、腐食性土壌との接触や地下水等よりの影響を無くし腐蝕や電食を防止することを目的として、管路をポリエチレンスリーブで被覆した上で埋設する、いわゆるポリエチレンスリーブ工法が知られている。
【０００３】
【発明が解決しようとする課題】
ところで、管路の管継手部は受口部分で外径が拡径しているため、ポリエチレンスリーブは管継手部をカバーし得る径の大きいものとされることが多い。
このような径の大きいポリエチレンスリーブで継手部を被覆した場合、管外周でだぶついたポリエチレンスリーブは、通常、周方向に折畳み、ゴムバンドなどの緊締部材で巻き締め固定して管外周にまとめることが行なわれていた。
【０００４】
しかし、何らかの事情でポリエチレンスリーブ内に地下水が侵入すると、管路より低くなっている継手下底部に流れ込み、やがて集積滞留して、継手部下方側に空間があると、ポリエチレンスリーブが水の重量で垂れ下がり、前記折畳み部が次第に緩んで垂れ下がってさらに地下水が集中し、継手部の腐蝕原因となる恐れがあった。
【０００５】
この発明は、上記問題を解消し、例え地下水が侵入することがあっても、地下水重量によるポリエチレンスリーブの垂れ下がりを防止しあるいは侵入そのものをも防止することによって、継手部の地下水集中を防止することを課題としてなされたものである。
【０００６】
【課題を解決するための手段】
上記課題を解決するため、請求項１のポリエチレンスリーブ工法用支持ネットは、管及び継手部外面をポリエチレンスリーブで被覆するポリエチレンスリーブ工法において、挿口と受口とからなる継手部の軸方向両端と中央の前記継手部外面に巻き付け固定される緊締部材と、前記継手部の少なくとも下半下底部に沿って前記緊締部材を前記継手部の軸方向に繋ぐ複数の伸縮ベルトからなる。
【０００７】
従って、この発明では管継手部のポリエチレンスリーブは、少なくともその下面がポリエチレンスリーブ工法用支持ネットで支持されるので、継手部下面に空間があっても垂れ下がりが防止され、例え地下水が侵入することがあっても継手部のスリーブ内に集中滞留してしまうのが防止される。
請求項２のポリエチレンスリーブ工法用被覆構造は、管及び継手部外面をポリエチレンスリーブで被覆するポリエチレンスリーブ工法において、挿口と受口とからなる継手部の軸方向両端の管外面と前記ポリエチレンスリーブとの間に水膨潤性ゴムまたはブチルゴムなどの止水用ゴム部材が介挿され、該介挿部において前記ポリエチレンスリーブが外面から緊締され、さらに前記継手部外面を覆うポリエチレンスリーブの少なくとも下半下底部を請求項１に記載の支持ネットで支持してなるものである。
【０００８】
この構造によれば、支持ネットの支持により継手部下底部への侵水が予防されるだけでなく、水膨潤性ゴム、ブチルゴム等の止水用ゴム部材によりポリエチレンスリーブと管外面との隙間が充填されるのでそれ以上の地下水浸透も防止され、継手部での侵入水滞留が防止できる。
【０００９】
【発明の実施の形態】
次に、この発明の実施の形態を説明する。
図１は、この発明の実施の形態のポリエチレンスリーブ工法用支持ネットの平面図を示す。
図１において、１は支持ネットを示す。
【００１０】
この支持ネット１は継手部２（図２）に沿った軸方向両端２ｂ、２ｂ（同）と中央２ｃ（同）に周方向に沿う緊締部材４ｂ、４ｂ、４ｃと、この緊締部材４ｂ…４ｃの継手部２の少なくとも下底部２ａ（同）に沿って前記緊締部材４ｂ…４ｃを前記継手部の軸方向につなぐ伸縮ベルト６とから構成されている。
この伸縮ベルト６は、図示のように最下底部のものと、周方向に隔てた両側に一本づつの合計３本を平行に設ける他、図示は省略するが中央を挟んだ両側にさらに多数の伸縮ベルトを平行に設けても良い。
【００１１】
この緊締部材４ｂ…４ｃと伸縮部材６は共に耐薬品性に優れた合成樹脂繊維で、引張強度、伸縮性に優れた材質より成形される。
なお、緊締部材４ｂ…４ｃの長さは、継手部２における両側の管部５の外周長に沿う長さのもの４ｂに対し、継手部２の中央部など径の大きい部分に沿う長さのもの４ｃが、外周長の差の分だけ長くされている。
【００１２】
また、この緊締部材４…４にはそれぞれバックル４ａ…４ａが取り付けられ、このバックル４ａ…４ａで容易に緊締固定出来るようにされている。
次に、上記ポリエチレンスリーブ工法用支持ネットを使用したポリエチレンスリーブの被覆構造を説明する。
継手部２の両側の管５、５をポリエチレンスリーブ３で被覆し、このポリエチレンスリーブ３内面の管５外面に膨潤性ゴム又はブチルゴム等からなる止水用ゴム層７ａ、７ａを設け、この止水用ゴム層７ａ、７ａの介挿位置でポリエチレンスリーブ３を緊締部材７例えばゴムバンドなどで緊締する。
【００１３】
そして、前記ポリエチレンスリーブ３、３の端部３ａ、３ａにオーバラップさせて継手部２外面にポリエチレンスリーブ９を被覆し、オーバラップ部９ａを緊締部材（図示省略）で緊締する。
次いで、継手部２の下面にポリエチレンスリーブ工法用支持ネットを位置合わせして敷設し、図２に示すようにそれぞれの緊締部材４ｂ…４ｃを継手部２外周に巻き付け、バックル４ａ…４ａで緊締固定する。
【００１４】
これにより、継手部２は下面部分２ａが支持ネット１の緊締部材４ｂ…４ｃ、伸縮ベルト６…６で覆われ、この支持ネット１によりポリエチレンスリーブ９の垂れ下がりが防止される。
従って、何らかの原因でポリエチレンスリーブ３内に地下水が侵入し、継手部２のポリエチレンスリーブ９内に流入してくることがあっても、支持ネット１でポリエチレンスリーブ３の浸水重量による垂れ下がりが防止されるので、大量の地下水が滞留するのが防止される。
【００１５】
さらに、管５を覆うポリエチレンスリーブ３内面には水膨潤性ゴムやブチルゴムの止水用ゴム層７ａが介挿され、水膨潤性ゴムの場合は侵入してきた水によって膨潤し、またブチルゴムの場合は粘弾性によって密着シールするので、このシール効果により継手部２への侵入水の流入も阻止される。
なお、上記実施の形態として、管５に対するポリエチレンスリーブ３と継手部２に対するポリエチレンスリーブ９とをそれぞれ別に分けて被覆した場合を示したが、一方の管５を被覆するポリエチレンスリーブ３を継手部２を越えて他方の管５へ延在させ、他方の管５のポリエチレンスリーブ３を前記一方の管５を覆うポリエチレンスリーブ３上にオーバラップするように他方の管５方向へ延在させ、管５外周との間を膨潤ゴム又はブチルゴムの層７ａでシールすると共に、スリーブ外周を支持ネット１で支持するようにしても良い。
【００１６】
【発明の効果】
以上説明したように、請求項１のポリエチレンスリーブ工法用支持ネットによればポリエチレンスリーブ工法を実施する場合において、管継手部は両側と中央部を緊締する緊締部材とその間をつなぐ伸縮ベルトとで構成される支持ネットで下底部を支持するため、例え地下水や腐食性液体が流入することがあっても垂れ下がるのが防止され、侵入した滞留水に起因する腐蝕が最小限に止められるのである。
【００１７】
また、請求項２のポリエチレンスリーブの被覆構造によれば、継手部が支持ネットで支持される他、継手部の両側が膨潤ゴムやブチルゴム層でシールされるので、継手部への侵入水流入も防止できる。
【図面の簡単な説明】
【図１】この発明の実施の形態であるポリエチレンスリーブ工法用支持ネットの平面図である。
【図２】ポリエチレンスリーブ工法用支持ネットの使用状態を示す側面図である。
【図３】図２の左側面図である。
【符号の説明】
１    支持ネット
２    継手部
２ａ  継手部下面
２ｂ  継手部端部
２ｃ  継手部中央部
３    ポリエチレンスリーブ
４ａ  バックル
４ｂ  継手部両側の緊締部材
４ｃ  継手部中央の緊締部材
５    管
６    伸縮ベルト
９    継手部のポリエチレンスリーブ
【図１】
0003705721.tif 000002
【図２】
0003705721.tif 000003
【図３】
0003705721.tif 000004